(57)【要約】【課題】申請書の搬送時のエラーに伴うロスカード発生を手間をかけることなく低減できる複写撮影装置、ＩＤカード発行システム及びＩＤカード発行方法を提供する。【解決手段】撮影装置４に、ＩＤ番号と撮影完了情報とを対応づけて記憶する撮影完了データファイル４９Ａと、ＣＰＵ４７に、ＩＤ番号読取部４１により申請書に記載されたＩＤ番号が読み取られた場合に、撮影完了データファイル４９Ａに記憶された撮影完了情報に基づいて、撮影部４２による撮影が完了しているか否かを判断させる撮影完了判断プログラム４９Ｃと、撮影が完了していないと判断した場合に撮影部４２により申請書の顔写真を撮影させる制御を行わせるとともに、撮影が完了していると判断した場合に撮影部４２による申請書の顔写真を撮影しない制御を行わせる撮影制御プログラム４９Ｅと、を備えた。【選択図】図２
2007307836.tif 000002
【特許請求の範囲】
【請求項１】
ＩＤカードの発行を申請する申請書に記載された識別情報を読み取る識別情報読取手段と、前記識別情報読取手段により識別情報が読み取られた前記申請書に貼付された顔写真を撮影して顔画像データを取得する撮影手段と、前記撮影手段により取得された顔画像データをＩＤカード発行装置に送信する送信手段と、前記撮影手段により顔画像が撮影された後に前記申請書の申請書イメージデータを取得する取得手段と、を備える複写撮影装置において、
前記送信手段により顔画像データを前記ＩＤカード発行装置に送信した場合に、前記識別情報と前記撮影完了情報とを対応づけて記憶する撮影完了情報記憶手段と、
前記識別情報読取手段により前記申請書に記載された前記識別情報が読み取られた場合に、前記撮影完了情報記憶手段に記憶された撮影完了情報に基づいて、前記撮影手段による撮影が完了しているか否かを判断する撮影完了判断手段と、
前記撮影完了判断手段により撮影が完了していないと判断された場合に前記撮影手段により前記申請書の顔写真を撮影させる制御を行うとともに、前記撮影完了判断手段により撮影が完了していると判断された場合に前記撮影手段による前記申請書の顔写真を撮影しない制御を行う撮影制御手段と、
を備えることを特徴とする複写撮影装置。
【請求項２】
前記取得手段による前記申請書の申請書イメージデータの取得が完了した場合に、当該申請書の前記識別情報と取得完了情報とを対応づけて記憶する取得完了情報記憶手段と、
前記識別情報読取手段により前記申請書に記載された前記識別情報が読み取られた場合に、前記取得完了情報記憶手段に記憶された取得完了情報に基づいて、前記取得手段による前記申請書の申請書イメージデータの取得が完了しているか否かを判断する取得完了判断手段と、
前記取得完了判断手段により申請書イメージデータの取得が完了していないと判断された場合に前記取得手段による前記申請書の申請書イメージデータを取得させる制御を行い、前記取得完了判断手段により申請書イメージデータの取得が完了していると判断された場合に前記取得手段による前記申請書の申請書イメージデータを取得させない制御を行う取得制御手段と、
を備えることを特徴とする請求項１記載の複写撮影装置。
【請求項３】
前記撮影完了判断手段により、前記撮影手段による前記申請書における顔写真の撮影が完了していると判断された場合に、表示部に当該申請書における顔写真を再撮影するか否かを選択する選択画面を表示させる表示制御手段と、
前記表示部に表示された選択画面において当該申請書における顔写真を再撮影するか否かを選択するための入力手段と、
を備え、
前記撮影制御手段は、前記入力手段より当該申請書における顔写真を再撮影するとの選択がなされた場合に、前記撮影手段により前記申請書の顔写真を撮影させることを特徴とする請求項１又は２に記載の複写撮影装置。
【請求項４】
前記撮影完了判断手段による判断を行う第１の制御モードと、前記撮影完了判断手段による判断を行わない第２の制御モードと、を選択するための選択手段を備えることを特徴とする請求項１〜３の何れか一項に記載の複写撮影装置。
【請求項５】
ＩＤカードの発行を申請する申請書に貼付された顔写真を撮影して顔画像データを取得する複写撮影装置と、前記前記複写撮影装置により撮影された顔画像データを用いてＩＤカードを発行するＩＤカード発行装置と、を備えるＩＤカード発行システムにおいて、
前記複写撮影装置は、
前記申請書に記載された識別情報を読み取る識別情報読取手段と、
前記識別情報読取手段により識別情報が読み取られた前記申請書に貼付された顔写真を撮影して顔画像データを取得する撮影手段と、
前記撮影手段により取得された顔画像データを前記ＩＤカード発行装置に送信する送信手段と、
前記撮影手段により顔写真が撮影された後に前記申請書の申請書イメージデータを取得する取得手段と、
前記送信手段により顔画像データを前記ＩＤカード発行装置に送信した場合に、前記識別情報と前記撮影完了情報とを対応づけて記憶する撮影完了情報記憶手段と、
前記識別情報読取手段により前記申請書に記載された前記識別情報が読み取られた場合に、前記撮影完了情報記憶手段に記憶された撮影完了情報に基づいて、前記撮影手段による撮影が完了しているか否かを判断する撮影完了判断手段と、
前記撮影完了判断手段により撮影が完了していないと判断された場合に前記撮影手段により前記申請書の顔写真を撮影させる制御を行うとともに、前記撮影完了判断手段により撮影が完了していると判断された場合に前記撮影手段による前記申請書の顔写真を撮影しない制御を行う撮影制御手段と、
を備えることを特徴とするＩＤカード発行システム。
【請求項６】
前記複写撮影装置は、
前記取得手段による前記申請書の申請書イメージデータの取得が完了した場合に、当該申請書の前記識別情報と取得完了情報とを対応づけて記憶する取得完了情報記憶手段と、
前記識別情報読取手段により前記申請書に記載された前記識別情報が読み取られた場合に、前記取得完了情報記憶手段に記憶された取得完了情報に基づいて、前記取得手段による前記申請書の申請書イメージデータの取得が完了しているか否かを判断する取得完了判断手段と、
前記取得完了判断手段により前記申請書の申請書イメージデータの取得が完了していないと判断された場合に前記取得手段による前記申請書の申請書イメージデータを取得させる制御を行い、前記取得完了判断手段により前記申請書の申請書イメージデータの取得が完了していると判断された場合に前記取得手段による前記申請書の申請書イメージデータを取得させない制御を行う取得制御手段と、
を備えることを特徴とする請求項５に記載のＩＤカード発行システム。
【請求項７】
前記複写撮影装置は、
前記撮影完了判断手段により、前記撮影手段による前記申請書における顔写真の撮影が完了していると判断された場合に、表示部に当該申請書における顔写真を再撮影するか否かを選択する選択画面を表示させる表示制御手段と、
前記表示部に表示された選択画面において当該申請書における顔写真を再撮影するか否かを選択するための入力手段と、
を備え、
前記撮影制御手段は、前記入力手段より当該申請書における顔写真を再撮影するとの選択がなされた場合に、前記撮影手段により前記申請書の顔写真を撮影させることを特徴とする請求項５又は６に記載のＩＤカード発行システム。
【請求項８】
前記複写撮影装置は、
前記撮影完了判断手段による判断を行う第１の制御モードと、前記撮影完了判断手段による判断を行わない第２の制御モードと、を選択するための選択手段を備えることを特徴とする請求項５〜７の何れか一項に記載のＩＤカード発行システム。
【請求項９】
請求項５に記載のＩＤカード発行システムにおいてＩＤカードを発行するＩＤカード発行方法であって、
前記送信手段により顔画像データを前記ＩＤカード発行装置に送信した場合に、前記識別情報と前記撮影完了情報とを対応づけて記憶する撮影完了情報記憶工程と、
前記識別情報読取手段により前記申請書に記載された前記識別情報が読み取られた場合に、前記撮影完了情報記憶手段に記憶された撮影完了情報に基づいて、前記撮影手段による撮影が完了しているか否かを判断する撮影完了判断工程と、
前記撮影完了判断工程において撮影が完了していないと判断された場合に前記撮影手段により前記申請書の顔写真を撮影させる制御を行うとともに、前記撮影完了判断工程において撮影が完了していると判断された場合に前記撮影手段による前記申請書の顔写真を撮影しない制御を行う撮影制御工程と、
を備えることを特徴とするＩＤカード発行方法。
【発明の詳細な説明】
【技術分野】
【０００１】
本発明は、複写撮影装置、ＩＤカード発行システム及びＩＤカード発行方法にかかるものである。
【背景技術】
【０００２】
従来、社員証や各種免許証等のＩＤカードを発行するＩＤカード発行システムでは、まず、複写撮影装置において、ＯＣＲ装置等により申請書に記載されたＩＤ番号が読み取られ、次いで、申請書に貼付された顔写真が撮影されるとともに、撮影された顔写真の画像データはＩＤカード発行装置に送信され、次いで、当該申請書のイメージ画像がスキャナにより読み取られるとともに、読み取られた申請書のイメージ画像データはファイルサーバに送信される。そして、ＩＤカード発行装置において、複写撮影装置により送信された顔写真の画像データに基づく画像が印刷されたＩＤカードが発行され、ファイルサーバにおいて、複写撮影装置により送信された申請書のイメージ画像が記憶保管される（例えば、特許文献１）。
【特許文献１】特開２０００−１１３２８８号公報
【発明の開示】
【発明が解決しようとする課題】
【０００３】
しかしながら、複写撮影装置において、例えば、申請書の搬送時にエラーが発生した場合には、エラー発生のタイミングにより申請書に貼付された顔写真の撮影が成功したのか否かが異なるため、撮影が成功したか否かをいちいち確かめてから、撮影をやり直すのか否かを判断して、申請書をより分けると、手間がかかるという問題がある。一方、申請書の搬送時にエラーが発生した場合には、一律に撮影からやり直すとすると、撮影が成功してＩＤカードが作成されているにも関わらず、撮影からやり直すこととなり、ロスカードが発生してしまうという問題がある。
【０００４】
本発明の課題は、申請書の搬送時のエラーに伴うロスカード発生を手間をかけることなく低減できる複写撮影装置、ＩＤカード発行システム及びＩＤカード発行方法を提供することである。
【課題を解決するための手段】
【０００５】
請求項１に記載の発明は、ＩＤカードの発行を申請する申請書に記載された識別情報を読み取る識別情報読取手段と、前記識別情報読取手段により識別情報が読み取られた前記申請書に貼付された顔写真を撮影して顔画像データを取得する撮影手段と、前記撮影手段により取得された顔画像データをＩＤカード発行装置に送信する送信手段と、前記撮影手段により顔画像が撮影された後に前記申請書の申請書イメージデータを取得する取得手段と、を備える複写撮影装置において、
前記送信手段により顔画像データを前記ＩＤカード発行装置に送信した場合に、前記識別情報と前記撮影完了情報とを対応づけて記憶する撮影完了情報記憶手段と、
前記識別情報読取手段により前記申請書に記載された前記識別情報が読み取られた場合に、前記撮影完了情報記憶手段に記憶された撮影完了情報に基づいて、前記撮影手段による撮影が完了しているか否かを判断する撮影完了判断手段と、
前記撮影完了判断手段により撮影が完了していないと判断された場合に前記撮影手段により前記申請書の顔写真を撮影させる制御を行うとともに、前記撮影完了判断手段により撮影が完了していると判断された場合に前記撮影手段による前記申請書の顔写真を撮影しない制御を行う撮影制御手段と、
を備えることを特徴としている。
【０００６】
請求項２に記載の発明は、請求項１に記載の複写撮影装置において、
前記取得手段による前記申請書の申請書イメージデータの取得が完了した場合に、当該申請書の前記識別情報と取得完了情報とを対応づけて記憶する取得完了情報記憶手段と、
前記識別情報読取手段により前記申請書に記載された前記識別情報が読み取られた場合に、前記取得完了情報記憶手段に記憶された取得完了情報に基づいて、前記取得手段による前記申請書の申請書イメージデータの取得が完了しているか否かを判断する取得完了判断手段と、
前記取得完了判断手段により申請書イメージデータの取得が完了していないと判断された場合に前記取得手段による前記申請書の申請書イメージデータを取得させる制御を行い、前記取得完了判断手段により申請書イメージデータの取得が完了していると判断された場合に前記取得手段による前記申請書の申請書イメージデータを取得させない制御を行う取得制御手段と、
を備えることを特徴としている。
【０００７】
請求項３に記載の発明は、請求項１又は２に記載の複写撮影装置において、
前記撮影完了判断手段により、前記撮影手段による前記申請書における顔写真の撮影が完了していると判断された場合に、表示部に当該申請書における顔写真を再撮影するか否かを選択する選択画面を表示させる表示制御手段と、
前記表示部に表示された選択画面において当該申請書における顔写真を再撮影するか否かを選択するための入力手段と、
を備え、
前記撮影制御手段は、前記入力手段より当該申請書における顔写真を再撮影するとの選択がなされた場合に、前記撮影手段により前記申請書の顔写真を撮影させることを特徴としている。
【０００８】
請求項４に記載の発明は、請求項１〜３の何れか一項に記載の複写撮影装置において、
前記撮影完了判断手段による判断を行う第１の制御モードと、前記撮影完了判断手段による判断を行わない第２の制御モードと、を選択するための選択手段を備えることを特徴としている。
【０００９】
請求項５に記載の発明は、ＩＤカードの発行を申請する申請書に貼付された顔写真を撮影して顔画像データを取得する複写撮影装置と、前記前記複写撮影装置により撮影された顔画像データを用いてＩＤカードを発行するＩＤカード発行装置と、を備えるＩＤカード発行システムにおいて、
前記複写撮影装置は、
前記申請書に記載された識別情報を読み取る識別情報読取手段と、
前記識別情報読取手段により識別情報が読み取られた前記申請書に貼付された顔写真を撮影して顔画像データを取得する撮影手段と、
前記撮影手段により取得された顔画像データを前記ＩＤカード発行装置に送信する送信手段と、
前記撮影手段により顔写真が撮影された後に前記申請書の申請書イメージデータを取得する取得手段と、
前記送信手段により顔画像データを前記ＩＤカード発行装置に送信した場合に、前記識別情報と前記撮影完了情報とを対応づけて記憶する撮影完了情報記憶手段と、
前記識別情報読取手段により前記申請書に記載された前記識別情報が読み取られた場合に、前記撮影完了情報記憶手段に記憶された撮影完了情報に基づいて、前記撮影手段による撮影が完了しているか否かを判断する撮影完了判断手段と、
前記撮影完了判断手段により撮影が完了していないと判断された場合に前記撮影手段により前記申請書の顔写真を撮影させる制御を行うとともに、前記撮影完了判断手段により撮影が完了していると判断された場合に前記撮影手段による前記申請書の顔写真を撮影しない制御を行う撮影制御手段と、
を備えることを特徴としている。
【００１０】
請求項６に記載の発明は、請求項５に記載のＩＤカード発行システムにおいて、
前記複写撮影装置は、
前記取得手段による前記申請書の申請書イメージデータの取得が完了した場合に、当該申請書の前記識別情報と取得完了情報とを対応づけて記憶する取得完了情報記憶手段と、
前記識別情報読取手段により前記申請書に記載された前記識別情報が読み取られた場合に、前記取得完了情報記憶手段に記憶された取得完了情報に基づいて、前記取得手段による前記申請書の申請書イメージデータの取得が完了しているか否かを判断する取得完了判断手段と、
前記取得完了判断手段により前記申請書の申請書イメージデータの取得が完了していないと判断された場合に前記取得手段による前記申請書の申請書イメージデータを取得させる制御を行い、前記取得完了判断手段により前記申請書の申請書イメージデータの取得が完了していると判断された場合に前記取得手段による前記申請書の申請書イメージデータを取得させない制御を行う取得制御手段と、
を備えることを特徴としている。
【００１１】
請求項７に記載の発明は、請求項５又は６に記載のＩＤカード発行システムにおいて、
前記複写撮影装置は、
前記撮影完了判断手段により、前記撮影手段による前記申請書における顔写真の撮影が完了していると判断された場合に、表示部に当該申請書における顔写真を再撮影するか否かを選択する選択画面を表示させる表示制御手段と、
前記表示部に表示された選択画面において当該申請書における顔写真を再撮影するか否かを選択するための入力手段と、
を備え、
前記撮影制御手段は、前記入力手段より当該申請書における顔写真を再撮影するとの選択がなされた場合に、前記撮影手段により前記申請書の顔写真を撮影させることを特徴としている。
【００１２】
請求項８に記載の発明は、請求項５〜７の何れか一項に記載のＩＤカード発行システムにおいて、
前記複写撮影装置は、
前記撮影完了判断手段による判断を行う第１の制御モードと、前記撮影完了判断手段による判断を行わない第２の制御モードと、を選択するための選択手段を備えることを特徴としている。
【００１３】
請求項９に記載の発明は、請求項５に記載のＩＤカード発行システムにおいてＩＤカードを発行するＩＤカード発行方法であって、
前記送信手段により顔画像データを前記ＩＤカード発行装置に送信した場合に、前記識別情報と前記撮影完了情報とを対応づけて記憶する撮影完了情報記憶工程と、
前記識別情報読取手段により前記申請書に記載された前記識別情報が読み取られた場合に、前記撮影完了情報記憶手段に記憶された撮影完了情報に基づいて、前記撮影手段による撮影が完了しているか否かを判断する撮影完了判断工程と、
前記撮影完了判断工程において撮影が完了していないと判断された場合に前記撮影手段により前記申請書の顔写真を撮影させる制御を行うとともに、前記撮影完了判断工程において撮影が完了していると判断された場合に前記撮影手段による前記申請書の顔写真を撮影しない制御を行う撮影制御工程と、
を備えることを特徴としている。
【発明の効果】
【００１４】
請求項１、５、９に記載の発明によれば、申請書の搬送時にエラーが発生した場合に、申請書を分別することなく再度複写撮影装置に投入するだけで、それぞれの申請書において撮影が完了したか否かが自動的に判断され、撮影が完了していないもののみ撮影が行われてＩＤカードが作成されることとなって、申請書の搬送時のエラーに伴うロスカードの発生を、手間をかけることなく低減することができる。
【００１５】
請求項２、６に記載の発明によれば、請求項１又は５に記載の発明と同様の効果が得られるのは勿論のこと、特に、申請書の搬送時にエラーが発生した場合に、申請書を分別することなく再度複写撮影装置に投入するだけで、それぞれの申請書において申請書の申請書イメージデータの取得が完了したか否かが自動的に判断され、申請書の申請書イメージデータの取得が完了していないもののみ申請書の申請書イメージデータの取得が行われることとなって、より効率良く複写撮影を行うことができる。
【００１６】
請求項３、７に記載の発明によれば、請求項１、２、５、６の何れか一項に記載の発明と同様の効果が得られるのは勿論のこと、特に、一度撮影が完了しているものでも、再度撮影を行うか否かを選択することができることとなって、作成したＩＤカードの券面にゴミ等が付着してしまっていて、再度撮影を行いたい場合にも対応できる。
【００１７】
請求項４、８に記載の発明によれば、請求項１、２、３、５、６、７の何れか一項に記載の発明と同様の効果が得られるのは勿論のこと、特に、一度撮影が完了しているものでも、撮影完了判断手段により撮影完了の判断がなされることなく再度撮影を行うことができることとなって、再度撮影を行いたい場合に、撮影完了判断を行うことなく、より効率良く再度撮影を行うことができる。
【発明を実施するための最良の形態】
【００１８】
以下、図面を参照して本発明の最良の形態について詳細に説明する。ただし、発明の範囲は、図示例に限定されない。また、限定的な表現をする場合があるが、これに限られるものではない。
【００１９】
本発明に係るＩＤカード発行システム１００は、例えば、図１に示すように、ホストコンピュータ１，ファイルサーバ２,登録装置３,複写撮影装置としての撮影装置４,ＩＤカード発行装置５等を備えている。
また、ホストコンピュータ１，ファイルサーバ２,登録装置３，撮影装置４，ＩＤカード発行装置５等は、例えば、ＬＡＮ（Local  Area  Network）やＷＡＮ（Wide  Area  Network）等の通信回線Ｎを介して通信可能に接続されている。
【００２０】
ホストコンピュータ１は、例えば、通信部（図示省略），入力部（図示省略），ＣＰＵ（Central  Processing  Unit）（図示省略），ＲＡＭ（Random  Access  Memory）（図示省略），記憶部（図示省略）等を備えて構成され、データベース（ＤＢ）１ａと接続されている。
【００２１】
データベース１ａは、例えば、識別情報としてのＩＤ番号と、申請者の個人情報とを対応づけて記憶している。
【００２２】
ファイルサーバ２は、例えば、通信部（図示省略），ＣＰＵ（図示省略），ＲＡＭ（図示省略），記憶部（図示省略）等を備えて構成され、撮影装置４から送信される申請書の申請書イメージデータをＩＤ番号と対応づけて記憶している。
【００２３】
登録装置３は、例えば、通信部（図示省略），表示部（図示省略），入力部（図示省略），プリンタ（図示省略），ＣＰＵ（図示省略），ＲＡＭ（図示省略），記憶部（図示省略）等を備えて構成されている。
そして、例えば、登録装置３において、オペレータにより入力部から申請者のＩＤ番号と当該申請者の個人情報とが入力され、当該ＩＤ番号と当該個人情報とが対応付けられてホストコンピュータ１に送信され、データベース１ａに記憶されるようになっている。
また、登録装置３において、申請者のＩＤ番号等が印字された申請書がプリンタにより出力されるようになっている。
【００２４】
撮影装置４は、例えば、図２に示すように、ＩＤ番号読取部４１，撮影部４２，スキャナ４３,通信部４４，操作部４５,表示部４６,ＣＰＵ４７，ＲＡＭ４８，記憶部４９等を備えている。
【００２５】
ＩＤ番号読取部４１は、例えば、バーコードリーダや、スキャナ、光学式文字読取装置（ＯＣＲ装置）、磁気読取装置等を備えて構成され、申請書を挿入するための挿入口（図示省略）等を備え、申請書に印字されているＩＤ番号を読み取り、識別情報読取手段として機能する。
【００２６】
撮影部４２は、例えば、デジタルカメラ（図示省略）等を備えて構成され、申請書に貼り付けられた顔写真を撮影して、申請者の顔画像データを取得し、撮影手段として機能する。
【００２７】
スキャナ４３は、例えば、申請書を走査して、当該申請書の記載内容を光学的に読み取って、申請書の申請書イメージデータを取得し、取得手段として機能する。
【００２８】
通信部４４は、例えば、撮影装置４とＩＤカード発行システム１００内の他の装置との間の通信を行う。より具体的には、通信部４４は、例えば、撮影部４２により撮影された申請書の顔写真の顔画像データをＩＤカード発行装置５に送信して、送信手段として機能するとともに、スキャナ４３により走査されて読み取られた申請書の申請書イメージデータとＩＤ番号とを対応づけてファイルサーバ２に送信する。
【００２９】
操作部４５は、各種の操作ボタン,カーソルキー等を備え、各種の操作信号をＣＰＵ４７に出力する。より具体的には、操作部４５は、例えば、オペレータにより操作されることにより、ＣＰＵ４７が後述する表示制御プログラム４９Ｇを実行することによって表示部４６に表示された選択画面において、申請書の顔写真を再撮影するか否かを選択する操作信号を入力し、入力手段として機能する。
また、操作部４５は、例えば、オペレータにより操作されることにより、ＣＰＵ４７が撮影完了判断プログラム４９Ｃ及び表示制御プログラム４９Ｇを実行することによる撮影完了判断を行う第１制御モードと、ＣＰＵ４７が撮影完了判断プログラム４９Ｃ及び表示制御プログラム４９Ｇを実行することによる撮影完了判断を行わない第２制御モードとを選択するための操作信号をＣＰＵ４７に出力し、選択手段として機能する。
【００３０】
表示部４６は、例えば、ＬＣＤ（Liquid  Crystal  Display）等を備えて構成され、例えば、ＣＰＵ４７が後述する表示制御プログラム４９Ｇを実行することにより、申請書における顔写真を再撮影するか否かを選択する選択画面を表示する。
【００３１】
ＣＰＵ４７は、例えば、記憶部４９に格納された処理プログラム等を読み出して、ＲＡＭ４８に展開して実行することにより、撮影装置４全体の制御を行う。
【００３２】
ＲＡＭ４８は、例えば、ＣＰＵ４７により実行された処理プログラム等を、ＲＡＭ４８内のプログラム格納領域に展開するとともに、入力データや上記処理プログラムが実行される際に生じる処理結果等をデータ格納領域に格納する。
【００３３】
記憶部４９は、例えば、プログラムやデータ等が予め記憶されている記録媒体（図示せず）を有しており、この記録媒体は、例えば、半導体メモリ等で構成されている。また、記憶部４９は、ＣＰＵ４７が撮影装置４全体を制御する機能を実現させるための各種データ，各種処理プログラム，これらプログラムの実行により処理されたデータ等を記憶する。より具体的には、記憶部４９は、例えば、図２に示すように、撮影完了データファイル４９Ａ,取得完了データファイル４９Ｂ,撮影完了判断プログラム４９Ｃ,取得完了判断プログラム４９Ｄ,撮影制御プログラム４９Ｅ,取得制御プログラム４９Ｆ,表示制御プログラム４９Ｇ等を格納している。
【００３４】
撮影完了データファイル４９Ａは、例えば、ＩＤ番号と撮影完了情報とを対応づけて記憶している。ここで、撮影完了情報とは、例えば、撮影部４２による申請書の顔写真の撮影が完了している旨を示す情報である。記憶部４９は、かかる撮影完了データファイル４９Ａを格納することにより、撮影完了情報記憶手段として機能する。
【００３５】
取得完了データファイル４９Ｂは、例えば、ＩＤ番号と取得完了情報とを対応づけて記憶している。ここで、取得完了情報とは、例えば、スキャナ４３による申請書の申請書イメージデータの取得が完了している旨を示す情報である。記憶部４９は、かかる取得完了データファイル４９Ｂを格納することにより、取得完了情報記憶手段として機能する。
【００３６】
撮影完了判断プログラム４９Ｃは、例えば、ＣＰＵ４７に、ＩＤ番号読取部４１によりＩＤ番号が読み取られた場合に、撮影完了データファイル４９Ａを検索して、当該ＩＤ番号に対応する撮影完了情報を参照し、当該撮影完了情報に基づいて撮影部４２による撮影が完了しているか否かを判断する機能を実現させるプログラムである。ＣＰＵ４７は、かかる撮影完了判断プログラム４９Ｃを実行することにより、撮影完了判断手段として機能する。
【００３７】
取得完了判断プログラム４９Ｄは、例えば、ＣＰＵ４７に、ＩＤ番号読取部４１によりＩＤ番号が読み取られた場合に、取得完了データファイル４９Ｂを検索して、当該ＩＤ番号に対応する取得完了情報を参照し、当該取得完了情報に基づいてスキャナ４３による申請書の申請書イメージデータの取得が完了しているか否かを判断する機能を実現させるプログラムである。ＣＰＵ４７は、かかる取得完了判断プログラム４９Ｄを実行することにより、取得完了判断手段として機能する。
【００３８】
撮影制御プログラム４９Ｅは、例えば、ＣＰＵ４７に、撮影完了判断プログラム４９Ｃを実行することにより、撮影部４２による撮影が完了していないと判断した場合に、撮影部４２により申請書の顔写真を撮影させる制御を行うとともに、撮影完了判断プログラム４９Ｃを実行することにより、撮影部４２による撮影が完了していると判断した場合に、撮影部４２により申請書の顔写真を撮影させない制御を行う機能を実現させるプログラムである。
より具体的には、撮影制御プログラム４９Ｅは、例えば、ＣＰＵ４７に、撮影完了判断プログラム４９Ｃを実行することにより、撮影部４２による撮影が完了したと判断し、後述する表示制御プログラム４９Ｇを実行することにより表示部４６に表示された選択画面において、操作部４５から再撮影する操作信号が入力されたか否かを判断し、再撮影する操作信号が入力されたと判断した場合には、撮影部４２を制御して申請書の顔写真を撮影させるとともに、通信部４４を制御して、撮影により得られた顔画像データとＩＤ番号とを対応づけてＩＤカード発行装置５に送信させるとともに、撮影完了情報とＩＤ番号とを対応づけて撮影完了データファイル４９Ａに記憶させる機能を実現させるプログラムである。
また、撮影制御プログラム４９Ｅは、例えば、ＣＰＵ４７に、撮影完了判断プログラム４９Ｃを実行することにより、撮影部４２による撮影が完了したと判断し、表示制御プログラム４９Ｇを実行することにより表示部４６に表示された選択画面において、操作部４５から再撮影する操作信号が入力されたか否かを判断し、再撮影しない操作信号が入力されたと判断した場合には、撮影部４２を制御して、申請書の顔写真の撮影を行わせない制御を行う機能を実現させるプログラムである。
また、撮影制御プログラム４９Ｅは、例えば、ＣＰＵ４７に、撮影完了判断プログラム４９Ｃを実行することにより、撮影部４２による撮影が完了していないと判断した場合に、撮影部４２を制御して申請書の顔写真を撮影させるとともに、通信部４４を制御して、撮影により得られた顔画像データとＩＤ番号とを対応づけてＩＤカード発行装置５に送信させるとともに、撮影完了情報とＩＤ番号とを対応づけて撮影完了データファイル４９Ａに記憶させる機能を実現させるプログラムである。
ＣＰＵ４７は、かかる撮影制御プログラム４９Ｅを実行することにより、撮影制御手段として機能する。
【００３９】
取得制御プログラム４９Ｆは、例えば、ＣＰＵ４７に、取得完了判断プログラム４９Ｄを実行することにより、スキャナ４３による申請書の申請書イメージデータの取得が完了していないと判断した場合に、スキャナ４３により申請書の申請書イメージデータを取得させる制御を行うとともに、取得完了判断プログラム４９Ｄを実行することにより、スキャナ４３による申請書の申請書イメージデータの取得が完了していると判断した場合に、スキャナ４３により申請書の申請書イメージデータを取得させない制御を行う機能を実現させるプログラムである。
また、取得制御プログラム４９Ｆは、例えば、ＣＰＵ４７に、取得完了判断プログラム４９Ｄを実行することにより、スキャナ４３による申請書の申請書イメージデータの取得が完了していないと判断された場合に、スキャナ４３に申請書を走査させ、申請書イメージデータを取得させるとともに、通信部４４を制御して、当該申請書イメージデータとＩＤ番号とを対応づけてファイルサーバ２に送信させ、取得完了情報とＩＤ番号とを対応づけて取得完了データファイル４９Ｂに記憶させる機能を実現させるプログラムである。
ＣＰＵ４７は、かかる取得制御プログラム４９Ｆを実行することにより、取得制御手段として機能する。
【００４０】
表示制御プログラム４９Ｇは、例えば、ＣＰＵ４７に、撮影完了判断プログラム４９Ｃを実行することにより、撮影部４２による申請書の顔写真の撮影が完了していると判断した場合に、表示部４６に、当該申請書における顔写真を再撮影するか否かを選択する選択画面を表示させる機能を実現させるプログラムである。ＣＰＵ４７は、かかる表示制御プログラム４９Ｇを実行することにより、表示制御手段として機能する。
【００４１】
次に、上述のような構成のＩＤカード発行システム１００におけるＩＤカード発行動作の一例を図３に示すフローチャートを参照しながら説明する。
【００４２】
まず、撮影装置４のＩＤ番号読取部４１により、申請書に印字されたＩＤ番号が読み取られる（ステップＳ１）。
【００４３】
次に、ＣＰＵ４７は、操作部４５から第１制御モードを選択する操作信号と第２制御モードを選択する操作信号のどちらが入力されているか否かにより、第１制御モードが選択されているか否かを判断する（ステップＳ２）。
【００４４】
ステップＳ２において、ＣＰＵ４７が、第１制御モードが選択されていない、即ち、第２制御モードが選択されていると判断した場合には（ステップＳ２；Ｎｏ）、ステップＳＳ６へ進む。
ステップＳ２において、ＣＰＵ４７が、第１制御モードが選択されていると判断した場合には（ステップＳ２；Ｙｅｓ）、ＣＰＵ４７は、撮影完了判断プログラム４９Ｃを実行することにより、撮影部４２による申請書の顔写真の撮影が終了しているか否かを判断する（ステップＳ３：撮影完了判断工程）。
【００４５】
ステップＳ３において、ＣＰＵ４７が、撮影部４２による撮影が終了していないと判断した場合には（ステップＳ３；Ｎｏ）、ステップＳ６へ進む。
ステップＳ３において、ＣＰＵ４７が、撮影部４２による撮影が終了していると判断した場合には（ステップＳ３；Ｙｅｓ）、ＣＰＵ４７は、表示制御プログラム４９Ｇを実行することにより、表示部４６に、当該申請書における顔写真を再撮影するか否かを選択する選択画面を表示させる（ステップＳ４）。
【００４６】
次に、ＣＰＵ４７は、撮影制御プログラム４９Ｅを実行することにより、操作部４５から、再撮影する操作信号又は再撮影しない操作信号が入力されたか否かにより、再撮影するか否かを判断する（ステップＳ５）。
【００４７】
ステップＳ５において、ＣＰＵ４７が、再撮影しないと判断した場合には（ステップＳ５；Ｎｏ）、ＣＰＵ４７は、撮影制御プログラム４９Ｅの実行に基づいて、撮影部４２に申請書の顔写真を撮影させない制御を行って（撮影制御工程）、ステップＳ８へ進む。
ステップＳ５において、ＣＰＵ４７が、再撮影すると判断した場合には（ステップＳ５；Ｙｅｓ）、ＣＰＵ４７は、ＣＰＵ４７は、撮影制御プログラム４９Ｅの実行に基づいて、撮影部４２に申請書の顔写真を撮影させる制御を行い、撮影部４２により申請書の顔写真が撮影され（ステップＳ６：撮影制御工程）、通信部４４により、撮影によって得られた顔画像データとＩＤ番号がＩＤカード発行装置５に送信されるとともに、撮影完了情報とＩＤ番号とが対応付けられて撮影完了データファイル４９Ａに記憶される（ステップＳ７：撮影完了情報記憶工程）。
【００４８】
次に、ＣＰＵ４７は、取得完了判断プログラム４９Ｄを実行することにより、スキャナ４３による申請書の申請書イメージデータの取得が完了しているか否かを判断する（ステップＳ８）。
【００４９】
ステップＳ８において、ＣＰＵ４７が、スキャナ４３による申請書の申請書イメージデータの取得が完了していると判断した場合には（ステップＳ８；Ｙｅｓ）、ＣＰＵ４７は、取得制御プログラム４９Ｆを実行することにより、スキャナ４３を制御して、申請書の読取を行わせない制御を行って、本処理を終了する。
ステップＳ８において、ＣＰＵ４７が、スキャナ４３による申請書の申請書イメージデータの取得が完了していないと判断した場合には（ステップＳ８；Ｎｏ）、ＣＰＵ４７は、取得制御プログラム４９Ｆを実行することにより、スキャナ４３を制御して、申請書の申請書イメージデータの取得を行わせ（ステップＳ９）、通信部４４を制御して、申請書の申請書イメージデータとＩＤ番号とを対応づけてファイルサーバ２へ送信させ（ステップＳ１０）、取得完了情報とＩＤ番号とを対応づけて取得完了データファイル４９Ｂに記憶させて、本処理を終了する。
【００５０】
以上に説明した、本実施形態に係る撮影装置４,ＩＤカード発行システム１００及びＩＤカード発行方法によれば、撮影完了データファイル４９Ａにより、通信部４４によって顔画像データがＩＤカード発行装置５に送信された場合に、ＩＤ番号と撮影完了情報とが対応づけられて記憶され、ＣＰＵ４７が撮影完了判断プログラム４９Ｃを実行することにより、ＩＤ番号読取部４１によって申請書に記載されたＩＤ番号が読み取られた場合に、撮影完了データファイル４９Ａに記憶された撮影完了情報に基づいて、撮影部４２による撮影が完了しているか否かが判断され、ＣＰＵ４７が撮影制御プログラム４９Ｅを実行することにより、撮影完了判断プログラム４９Ｃを実行することにより撮影が完了していないと判断した場合に撮影部４２に申請書の顔写真を撮影させる制御が行われるとともに、撮影完了判断プログラム４９Ｃを実行することにより撮影が完了していると判断した場合に撮影部４２による申請書の顔写真を撮影しない制御が行われるので、申請書の搬送時にエラーが発生した場合に、申請書を分別することなく再度撮影装置４に投入するだけで、それぞれの申請書において撮影が完了したか否かが自動的に判断され、撮影が完了していないもののみ撮影が行われてＩＤカードが作成されることとなって、申請書の搬送時のエラーに伴うロスカードの発生を手間をかけることなく低減することができる。
【００５１】
また、取得完了データファイル４９Ｂにより、スキャナ４３による申請書の申請書イメージデータの取得が完了した場合に、当該申請書のＩＤ番号と取得完了情報とが対応づけて記憶され、ＣＰＵ４７が取得完了判断プログラム４９Ｄを実行することにより、ＩＤ番号読取部４１によって申請書に記載されたＩＤ番号が読み取られた場合に、取得完了データファイル４９Ｂに記憶された取得完了情報に基づいて、スキャナ４３による申請書の申請書イメージデータの取得が完了しているか否かが判断され、ＣＰＵ４７が取得制御プログラム４９Ｆを実行することにより、取得完了判断プログラム４９Ｄを実行することによって申請書の申請書イメージデータの取得が完了していないと判断した場合に、スキャナ４３に申請書の申請書イメージデータを取得させる制御が行われ、取得完了判断プログラム４９Ｄを実行することによって申請書の申請書イメージデータの取得が完了していると判断された場合に、スキャナ４３に申請書の申請書イメージデータを取得させない制御が行われるので、申請書の搬送時にエラーが発生した場合に、申請書を分別することなく再度撮影装置４に投入するだけで、それぞれの申請書において申請書イメージデータの取得が完了したか否かが自動的に判断され、申請書イメージデータの取得が完了していないもののみ申請書イメージデータの取得が行われることとなって、より効率良く複写撮影を行うことができる。
【００５２】
また、ＣＰＵ４７が表示制御プログラム４９Ｇを実行することにより、撮影完了判断プログラム４９Ｃを実行することによって、撮影部４２による申請書における顔写真の撮影が完了していると判断した場合に、表示部４６に当該申請書における顔写真を再撮影するか否かを選択する選択画面が表示され、操作部４５により、表示部４６に表示された選択画面において当該申請書における顔写真を再撮影するか否かが選択され、ＣＰＵ４７は、撮影制御プログラム４９Ｅを実行することにより、操作部４５より当該申請書における顔写真を再撮影するとの選択がなされた場合に、撮影部４２により申請書の顔写真を撮影させるので、一度撮影が完了しているものでも、再度撮影を行うか否かを選択することができることとなって、作成したＩＤカードの券面にゴミ等が付着してしまっていて、再度撮影を行いたい場合にも対応できる。
【００５３】
また、操作部４５により、撮影完了判断を行う第１の制御モードと、撮影完了判断を行わない第２の制御モードと、が選択されるので、一度撮影が完了しているものでも、ＣＰＵ４７が撮影完了判断プログラム４９Ｃを実行することにより撮影完了の判断がなされることなく再度撮影を行うことができることとなって、再度撮影を行いたい場合に、撮影完了判断を行うことなく、より効率良く再度撮影を行うことができる。
【００５４】
なお、本実施形態では、取得手段として、スキャナ４３を例示したが、これに限られるものではなく、例えば、取得手段は、カメラ等を備えて構成され、当該カメラ等によって申請書の紙面を撮影されることにより、申請書イメージデータが取得されてもよい。
【図面の簡単な説明】
【００５５】
【図１】本発明に係るＩＤカード発行システムの概略構成図である。
【図２】本発明に係る撮影装置の内部構成を示すブロック図である。
【図３】本発明に係るＩＤカード発行システムにおけるＩＤカード発行動作を説明するためのフローチャートである。
【符号の説明】
【００５６】
４  撮影装置（複写撮影装置）
４１  ＩＤ番号読取部（識別情報読取手段）
４２  撮影部（撮影手段）
４３  スキャナ（取得手段）
４４  通信部（送信手段）
４５  操作部（入力手段,選択手段）
４６  表示部
４７  ＣＰＵ（撮影完了判断手段,取得完了判断手段,撮影制御手段,取得制御手段,表示制御手段）
４９  記憶部（撮影完了情報記憶手段,取得完了情報記憶手段）
４９Ａ  撮影完了データファイル（撮影完了情報記憶手段）
４９Ｂ  取得完了データファイル（取得完了情報記憶手段）
４９Ｃ  撮影完了判断プログラム（撮影完了判断手段）
４９Ｄ  取得完了判断プログラム（取得完了判断手段）
４９Ｅ  撮影制御プログラム（撮影制御手段）
４９Ｆ  取得制御プログラム（取得制御手段）
４９Ｇ  表示制御プログラム（表示制御手段）
１００  ＩＤカード発行システム
【図１】
2007307836.tif 000003
【図２】
2007307836.tif 000004
【図３】
2007307836.tif 000005